(57)【要約】【課題】本体容器と蓋体容器を、その互いの開放端を合わせて嵌合するだけで、一体状のコンテナを容易かつ確実に構成することができるようにする。【解決手段】コンテナは、本体容器Ａと蓋体容器Ｂで構成される。本体容器Ａおよび蓋体容器Ｂは、基壁１の各辺に起倒自在に連結された対向する一対の側壁２ａ，２ｂと対向する他の一対の側壁２ｃ，２ｄを有している。本体容器Ａおよび蓋体容器Ｂは、一対の側壁２ａ，２ｂと対向する他の一対の側壁２ｃ，２ｄを起立させてそれぞれ構成する。本体容器Ａと蓋体容器Ｂは同構成でかつ同形状である。本体容器Ａと蓋体容器Ｂは、互いの開口端を合わせて嵌合可能な嵌合構造を備える。【選択図】　　　　図１
2004035008.tif 000002
【特許請求の範囲】
【請求項１】
基壁の各辺に起倒自在に連結された対向する一対の側壁と対向する他の一対の側壁を有し、各側壁を起立させて構成される上面開放状の箱形の本体容器と、この本体容器と同構成の蓋体容器とを、互いの開放端を合わせて一体状の有蓋容器を構成するコンテナであって、
本体容器と蓋体容器は、少なくともその開口端部分が同形状をなし、かつ互いの開口端を合わせて嵌合可能な嵌合構造を有していることを特徴とするコンテナ。
【請求項２】
本体容器および蓋体容器は、全体が同形状であることを特徴とする請求項１記載のコンテナ。
【請求項３】
本体容器および蓋体容器の開口端部分には嵌合凸部および嵌合凹部が設けられ、本体容器と蓋体容器の開放端を合わせて一体状の有蓋容器となす構成において、嵌合凸部に対応する位置には嵌合凹部が設けられており、少なくとも各辺の開口端部分にはそれぞれ一対の嵌合凸部と嵌合凹部が形成されていることを特徴とする請求項１または２記載のコンテナ。
【請求項４】
本体容器および蓋体容器の一対の側壁または他の一対の側壁の開放端側に半円弧状の切欠部を形成したことを特徴とする請求項１、２または３記載のコンテナ。
【請求項５】
一対の側壁と他の一対の側壁は、基壁の各辺に起倒自在に軸止めされていることを特徴とする請求項１、２、３または４記載のコンテナ。
【請求項６】
本体容器と蓋体容器には、それらの開放端を互いに合わせた状態で互いに連結するラッチ構造を備えていることを特徴とする請求項１、２、３、４または５記載のコンテナ。
【請求項７】
基壁、一対の側壁および他の一対の側壁は、中空二重壁構造であることを特徴とる請求項１、２、３、４、５または６記載のコンテナ。
【発明の詳細な説明】
【０００１】
【発明の属する技術分野】
本発明は、基壁の各辺に起倒自在に連結された対向する一対の側壁と対向する他の一対の側壁を有し、各側壁を起立させて構成される上面が開放した箱形の容器本体と、この本体容器と同構成の蓋体容器とを、互いの開放端を合わせて一体状の有蓋容器を構成するコンテナに関するものである。
【０００２】
【従来の技術】
紙製の段ボールで構成された容器およびそれと同構成の容器からなり、一方の容器の開放端に他方の容器の開放端を互いに合わせて一体状のコンテナとしたものは、特開平１０−１２００７２号公報に記載されている。
【０００３】
また、物品の収納や運搬等のために使用されるコンテナであって、底壁の軸受け部に対して側壁を軸止めして折り畳み自在とした折り畳みコンテナは、特開平１１−１４７５２３号公報または特開平１１−１４７５２４号公報に記載されているものが知られている。
【０００４】
【発明が解決しようとする課題】
前掲の特開平１０−１２００７２号公報に記載されているコンテナは、それを構成する本体容器と蓋体容器が、同構成でかつ同形状の構成部材で構成できるから、コンテナの構成部材数を少なくして工数を削減できるものであるが、本体容器と蓋体容器の互いの開放端を互いに合わせて一体状のコンテナとするには、本体容器と蓋体容器との間をバンド等の係止部材で止める必要があって、必ずしも構成部材の削減につながらないものであった。
【０００５】
そこで、本発明は、基壁の各辺に起倒自在に連結された対向する一対の側壁と対向する他の一対の側壁を有し、各側壁を起立させて構成される上面開放状の箱形の本体容器と、この本体容器と同構成の蓋体容器とを、互いの開放端を合わせて一体状の有蓋容器を構成するコンテナにおいて、本体容器と蓋体容器を、少なくともその開口端部分が同形状とし、かつ互いの開口端を合わせて嵌合可能な嵌合構造を備えることにより、本体容器と蓋体容器を、その互いの開放端を合わせて嵌合するだけで、一体状のコンテナを容易かつ確実に構成することができるようにすることを目的とするものである。
【０００６】
【課題を解決するための手段】
上記目的を達成するための本発明の請求項１に係るコンテナは、基壁の各辺に起倒自在に連結された対向する一対の側壁と対向する他の一対の側壁を有し、各側壁を起立させて構成される上面開放状の箱形の本体容器と、この本体容器と同構成の蓋体容器とを、互いの開放端を合わせて一体状の有蓋容器を構成するコンテナであって、本体容器と蓋体容器は、少なくともその開口端部分が同形状をなし、かつ互いの開口端を合わせて嵌合可能な嵌合構造を有していることを特徴とするものである。
【０００７】
また、本発明の請求項２に係るコンテナは、請求項１記載のコンテナにおいて、本体容器および蓋体容器は、全体が同形状であることを特徴とするものである。
【０００８】
本発明の請求項３に係るコンテナは、請求項１または２記載のコンテナにおいて、本体容器および蓋体容器の開口端部分には嵌合凸部および嵌合凹部が設けられ、本体容器と蓋体容器の開放端を合わせて一体状の有蓋容器となす構成において、嵌合凸部に対応する位置には嵌合凹部が設けられており、少なくとも各辺の開口端部分にはそれぞれ一対の嵌合凸部と嵌合凹部が形成されていることを特徴とするものである。
【０００９】
本発明の請求項４に係るコンテナは、請求項１、２または３記載のコンテナにおいて、本体容器および蓋体容器の一対の側壁または他の一対の側壁の開放端側に半円弧状の切欠部を形成したことを特徴とするものである。
【００１０】
本発明の請求項５に係るコンテナは、請求項１、２、３または４記載のコンテナにおいて、一対の側壁と他の一対の側壁は、基壁の各辺に起倒自在に軸止めされていることを特徴とするものである。
【００１１】
本発明の請求項６に係るコンテナは、請求項１、２、３、４または５記載のコンテナにおいて、本体容器と蓋体容器には、それらの開放端を互いに合わせた状態で互いに連結するラッチ構造を備えていることを特徴とするものである。
【００１２】
本発明の請求項７に係るコンテナは、請求項１、２、３、４、５または６記載のコンテナにおいて、基壁、一対の側壁および他の一対の側壁は、中空二重壁構造であることを特徴とるものである。
【００１３】
【発明の実施の形態】
図面は本発明に係るコンテナとしてロール状物を収納するコンテナを例示している。図１は本発明の一実施の形態に係るコンテナの全体斜視図、図２は同上本体容器から蓋体容器をはずした態様を示す斜視図、図３は本体容器を展開する過程の態様を示す斜視図、図４は展開後、基壁に対して一対の側壁を折り畳む過程の態様を示す斜視図、図５は図４の状態から一対の側壁の折り畳みを完了した態様を示す斜視図、図６はコンテナにロール状物を収納する態様を示す斜視図である。
【００１４】
本発明に係るコンテナは、本体容器Ａと蓋体容器Ｂからなり、図示の実施の形態においては、本体容器Ａと蓋体容器Ｂは同構成でありかつ同形状のものである。本体容器Ａは、基壁１と、その四辺にそれぞれ軸止め構造により起倒自在に連結された４つの側壁、すなわち対向する一対の側壁２ａ，２ｂ、対向する他の一対の側壁２ｃ，２ｄとで構成されている。
【００１５】
本発明に係るコンテナを構成する本体容器Ａおよび蓋体容器Ｂは、熱可塑性合成樹脂（例えば、高密度ポリエチレン、ポリプロピレン、エンジニアリングプラスチック）をブロー成形して構成され、中空二重壁構造をなしているものである。
【００１６】
本体容器Ａの基壁１に連結されている一対の側壁２ａ，２ｂは、基壁１の上面に対向して折り畳めるように底壁１側に形成された軸止め部１ａに軸止めされており、他の一対の側壁２ｃ，２ｄは、展開すると基壁１と略同一平面をなすように基壁１の軸止め部１ｂに軸止めされている。
【００１７】
他の一対の側壁２ｃ，２ｄの両端面の開き側寄りには係止凸部３がそれぞれ形成されており、一対の側壁２ａ，２ｂの内面の開き側両端寄りには、係止凹部４がそれぞれ形成されている。これら係止凸部３と係止凹部４は、一対の側壁２ａ，２ｂを起立させ、かつ他の一対の側壁２ｃ，２ｄを起立させた状態で、一対の側壁２ａ，２ｂ側の係止凹部４に他の一対の側壁２ｃ，２ｄ側の係止凸部３が嵌入して、基壁１に対して一対の側壁２ａ，２ｂおよび他の一対の側壁２ｃ，２ｄを起立保持して、上面が開放した箱状の本体容器Ａを形成するためのものである。
【００１８】
一対の側壁２ａ，２ｂの開放端面には、一組の嵌合凸部５および嵌合凹部６が側壁の内面側および外面側にそれぞれ形成されており、他の一対の側壁の開放端面にも、一組の嵌合凸部７および嵌合凹部８が側壁の内面側および外面側にそれぞれ形成されている。本体容器Ａは、その一対の側壁２ａ，２ｂの対向仮想中間面を中心軸として対称な形状をなしており、一組の嵌合凸部５と嵌合凹部６は、他方の嵌合凸部５および嵌合凹部６に対して前後方向互い違いに、また一組の嵌合凸部７と嵌合凹部８は、他の一組の嵌合凸部７および嵌合凹部８に対して互い違いに形成されている。
【００１９】
一対の側壁２ａ，２ｂの対角線にあたる前後端面上端部には、それぞれラッチ９，９が備えられており、一対の側壁２ａ，２ｂの他の対角線にあたる前後端面上端部には、ラッチ受け１０，１０が形成されている。ラッチ９，９は、本体容器Ａに被せた蓋体容器Ｂのラッチ受けに係止させ、ラッチ受け１０，１０は同じくラッチを係止させるためのものである。
【００２０】
本体容器Ａの他の一対の側壁２ｃ，２ｄの開放端には、一対の側壁２ａ，２ｂの対向仮想中間面にあたる部位を左右均等に挟んで半円弧状の切欠部１１が形成されている。また、一対の側壁２ａ，２ｂの外面には手掛け凹部１２がそれぞれ形成されている。
【００２１】
本発明に係るコンテナは、本体容器Ａと蓋体容器Ｂとで構成されるが、蓋体容器Ｂは、本体容器Ａと構成および形状が全く同じものである。すなわち、本体容器Ａと蓋体容器Ｂは同一構成部材であるから、蓋体容器Ｂについての説明は省略する。
【００２２】
図示した本発明に係るコンテナは、図６に示すように、ロール状物Ｃを収納するためのものであり、本体容器Ａの開放端に対して、蓋体容器Ｂの開放端を合わせて一体状のコンテナとなすものである。すなわち、本体容器Ａ内にロール状物Ｃをその軸芯ｄが切欠部１１に掛けて収納する。そして、本体容器Ａの開放端に蓋体Ｂの開放端を合わせるように被せると、本体容器Ａと同形状の蓋体容器Ｂは、互いの開放端面において嵌合凸部５と嵌合凹部６、過合凹部７と嵌合凸部８が互いに嵌合し、本体容器Ａに対して蓋体容器Ｂが係止状態となる。次いで、本体容器Ａ側のラッチ９を対応する蓋体容器Ｂ側のラッチ受け１０に、また蓋体容器Ｂ側のラッチ９を対応する本体容器Ａ側のラッチ受け１０に掛ければ、本体容器Ａと蓋体容器Ｂが一体となった一体状のコンテナが構成される。この一体状のコンテナに収納されたロール状物はその軸芯ｄが、本体容器Ａの切欠部１１と蓋体容器Ｂの切欠部１１で円形の前後一対の支持孔１３で不動またはそれに近い状態に支持される。
【００２３】
本発明に係るコンテナにおいては、本体容器に対して蓋体容器の全体が必ずしも同形状でなくてもよく、本体容器と蓋体容器を別々に成形するならば、蓋体容器は、その少なくともその開口端部分が同形状であればよい。すなわち、本体容器Ａと蓋体容器Ｂの開放端と、その部位の嵌合凸部と嵌合凹部による嵌合構造が互いに同じであれば、両者の結合ができることになるからである。
【００２４】
本発明に係るコンテナは、一対の側壁２ａ，２ｂと他の一対の側壁２ｃ，２ｄが、基壁１の各辺に起倒自在に軸止めされているので、その連結強度が高いうえ起倒操作が軽快である。さらに、不使用時には各側壁を折り畳みまたは展開させることにより嵩張ることなく保管することができる。また、基壁１、一対の側壁２ａ，２ｂおよび他の一対の側壁２ｃ．２ｄは、中空二重壁構造とすることにより、コンテナは剛性、緩衝性が高く収納物の保管性にすぐれている。
【００２５】
本発明は、図示の実施の形態に限らず、例えば、基壁１、一対の側壁２ａ，２ｂおよび他の一対の側壁２ｃ，２ｄを単壁構造とし、また、切欠部を形成することなく本体容器Ａ、蓋体容器Ｂの開放端全周が互いに当接した密封構造のコンテナとし、さらには、基壁１の各辺に起倒自在に薄肉のヒンジを介して一体に連結するなど、種々他の実施の形態とすることが可能である。
【００２６】
【発明の効果】
本発明によれば、基壁の各辺に起倒自在に連結された対向する一対の側壁と対向する他の一対の側壁を有し、各側壁を起立させて構成される上面開放状の箱形の本体容器と、この本体容器と同構成の蓋体容器とを、互いの開放端を合わせて一体状の有蓋容器を構成するコンテナにおいて、本体容器と蓋体容器を、少なくともその開口端部分が同形状とし、かつ互いの開口端を合わせて嵌合可能な嵌合構造を備えることにより、本体容器と蓋体容器を、その互いの開放端を合わせて嵌合するだけで、一体状のコンテナを容易かつ確実に構成することができる。
【図面の簡単な説明】
【図１】本発明の一実施の形態に係るコンテナの全体斜視図である。
【図２】同上本体容器から蓋体容器をはずした態様を示す斜視図である。
【図３】本体容器を展開する過程の態様を示す斜視図である。
【図４】展開後、基壁に対して一対の側壁を折り畳む過程の態様を示す斜視図である。
【図５】図４の状態から一対の側壁の折り畳みを完了した態様を示す斜視図である。
【図６】コンテナにロール状物を収納する態様を示す斜視図である。
【符号の説明】
１　基壁
１ａ，１ｂ　軸止め部
２ａ，２ｂ　一対の側壁
２ｃ，２ｄ　他の一対の側壁
３　係止凸部
４　係止凹部
５　嵌合凸部
６　嵌合凹部
７　嵌合凸部
８　嵌合凹部
９　ラッチ
１０　ラッチ受け
１１　切欠部
１２　手掛け凹部
１３　支持孔
Ａ　本体容器
Ｂ　蓋体容器
Ｃ　ロール状物
ｄ　軸芯
【図１】
2004035008.tif 000003
【図２】
2004035008.tif 000004
【図３】
2004035008.tif 000005
【図４】
2004035008.tif 000006
【図５】
2004035008.tif 000007
【図６】
2004035008.tif 000008